(57)【要約】【課題】遊技媒体貯留部または遊技媒体運搬箱のいずれに遊技媒体を貯留させるか選択することができる遊技機を提供する。【解決手段】遊技機は、遊技媒体を貯留する遊技媒体貯留部を備える。遊技媒体貯留部は、前扉の下方に設けられた底板、前側板、貯留部右側板、貯留部左側板及び後側板により形成される。底板と前側板とは一体に形成される。底板は、遊技媒体を遊技媒体貯留部で受け止める受け止め位置と、受け止め位置よりも筐体の内部へ移動して、遊技媒体を遊技媒体貯留部で受け止めない回避位置との間で変位する。底板の下方には積載板が設けられる。積載板は、底板が回避位置にあるときに遊技媒体運搬箱が積載される位置と、該位置よりも筐体の内部へ移動して、底板が受け止め位置にあるときに遊技媒体運搬箱が積載されない位置との間で変位する。遊技機は、底板と積載板とのいずれか一方の移動にともない他方を移動させるための伝動手段を備える。【選択図】図４
2009066202.tif 000002
【特許請求の範囲】
【請求項１】
正面側に開口する正面開口部を有する箱形の筐体と、
正面開口部を開閉可能に閉塞する前扉と、
遊技媒体を貯留するとともに貯留した遊技媒体を払い出すための払い出し装置と、
払い出し装置から払い出された遊技媒体を貯留する遊技媒体貯留部とを備えた遊技機において、
遊技媒体貯留部は、前扉の下方に設けられた底板、底板における正面側の周縁部から上方へ向けて突出した前側板、底板における右側の周縁部から上方へ向けて突出した貯留部右側板、底板における左側の周縁部から上方へ向けて突出した貯留部左側板、及び前側板に対向して筐体に設けられた後側板により形成され、
貯留部右側板及び貯留部左側板は、筐体と底板とのいずれか一方に設けられ、
少なくとも底板と前側板とは一体に形成され、
底板は、払い出し装置から払い出された遊技媒体を遊技媒体貯留部で受け止める受け止め位置と、受け止め位置よりも筐体の内部へ移動して、払い出し装置から払い出された遊技媒体を遊技媒体貯留部で受け止めない回避位置との間で変位可能に形成され、
底板の下方には積載板が設けられ、
積載板は、底板が回避位置にあるときに遊技媒体を持ち運ぶための遊技媒体運搬箱が積載される位置と、該位置よりも筐体の内部へ移動して、底板が受け止め位置にあるときに遊技媒体運搬箱が積載されない位置との間で変位可能に形成され、
底板と積載板とのいずれか一方の移動にともない他方を移動させるための伝動手段を備えたことを特徴とする遊技機。
【請求項２】
伝動手段は、
積載板の上面に設けられた積載板ラックと、
底板の下面における積載板ラックに対応する位置に設けられた底板ラックと、
積載板ラック及び底板ラックに咬合されたピニオンとを備えたことを特徴とする請求項１に記載の遊技機。
【発明の詳細な説明】
【技術分野】
【０００１】
本発明は、遊技機に関し、さらに詳しくは、払い出し装置から払い出された遊技媒体を、遊技媒体貯留部または遊技媒体運搬箱のいずれに貯留させるか選択することができる遊技機に関するものである。
【背景技術】
【０００２】
従来、遊技機として、正面側に開口する正面開口部を有する箱形の筐体と、正面開口部を開閉可能に閉塞する前扉と、周面に複数の図柄が付された３個の回転リールと、各回転リールの回転を開始させるためのスタートスイッチと、それぞれの回転リールに対応して設けられ、対応する回転リールの回転を停止させるためのストップスイッチと、遊技媒体（例えば、メダル）を払い出すための払い出し装置とを備えたスロットマシンが知られている。
このようなスロットマシンでは、スタートスイッチの操作を契機に、３個の回転リールが回転を開始するとともに、複数の当選役のいずれかに当選かまたはハズレかの抽選が行われる。そして、この抽選で当選役に当選した場合に、ストップスイッチが操作されると、この当選役に係る図柄の組み合わせが入賞有効ライン上に揃い得るように各回転リールの停止制御が行われる。さらに、すべての回転リールが回転を停止したときに、当選役に係る図柄の組み合わせが入賞有効ライン上に揃うと、この当選役の入賞となって、払い出し装置から所定枚数のメダルが払い出される。
【０００３】
また、前扉の正面下部には遊技媒体貯留部が設けられており、払い出し装置から払い出されたメダルが貯留されるようになっている。そして、遊技者は、メダルを精算する場合に、メダルを持ち運ぶための遊技媒体運搬箱を用意し、遊技媒体貯留部に貯留されたメダルを遊技媒体運搬箱に移す作業を行わなければならなかった。
ところで、遊技者の中には、遊技媒体貯留部に貯留されたメダルを遊技媒体運搬箱に移す作業が煩わしいと感じる者もいた。このような遊技者のために、払い出し装置から払い出されたメダルが遊技媒体運搬箱に貯留される遊技機が開示されている（特許文献１・特許文献２参照）。
【特許文献１】特開２００３−２６５６９７号公報
【特許文献２】特開２００４−１０５６００号公報
【発明の開示】
【発明が解決しようとする課題】
【０００４】
しかし、特許文献１に記載された遊技機では、遊技媒体貯留部が設けられていないため、払い出し装置から払い出されたメダルを遊技媒体運搬箱に貯留させるしかなかった。したがって、遊技媒体貯留部に貯留されたメダルを遊技媒体運搬箱に移す作業を行いたい遊技者であっても、この作業を行うことができないという問題点があった。
また、特許文献２に記載された遊技機では、遊技媒体運搬箱を積載するために遊技媒体貯留部を従来よりも著しく大きく形成する必要があった。そのため、遊技媒体貯留部が前扉から大きく張り出して邪魔になることがあった。また、遊技媒体貯留部に遊技媒体運搬箱を置かずに遊技媒体貯留部にメダルを貯留させた場合に、遊技媒体貯留部に散らばったメダルを集めるのに手間取ることがあった。
【０００５】
そこで、各請求項に記載された発明は、上述のような問題に鑑みてなされたものであり、その目的とするところは、次の点にある。
（請求項１）
すなわち、請求項１に記載の発明は、遊技媒体貯留部が従来よりも著しく大きくならず、且つ、払い出し装置から払い出されたメダルを、遊技媒体貯留部または遊技媒体運搬箱のいずれに貯留させるか選択することができる遊技機を提供することである。
（請求項２）
請求項２に記載の発明は、上記した請求項１に記載の発明の目的に加え、次の点を目的とする。
【０００６】
すなわち、請求項２に記載の発明によれば、底板の移動と積載板の移動とが滑らかに連動する遊技機を提供することである。
【課題を解決するための手段】
【０００７】
（請求項１）
請求項１に記載の発明は、
正面側に開口する正面開口部を有する箱形の筐体(1)と、
正面開口部を開閉可能に閉塞する前扉(3)と、
遊技媒体を貯留するとともに貯留した遊技媒体を払い出すための払い出し装置(5)と、
払い出し装置(5)から払い出された遊技媒体を貯留する遊技媒体貯留部(60)とを備えた遊技機において、
遊技媒体貯留部(60)は、前扉(3)の下方に設けられた底板(61)、底板(61)における正面側の周縁部から上方へ向けて突出した前側板(62)、底板(61)における右側の周縁部から上方へ向けて突出した貯留部右側板(67A)、底板(61)における左側の周縁部から上方へ向けて突出した貯留部左側板(67B)、及び前側板(62)に対向して筐体(1)に設けられた後側板(14)により形成され、
貯留部右側板(67A)及び貯留部左側板(67B)は、筐体(1)と底板(61)とのいずれか一方に設けられ、
少なくとも底板(61)と前側板(62)とは一体に形成され、
底板(61)は、払い出し装置(5)から払い出された遊技媒体を遊技媒体貯留部(60)で受け止める受け止め位置と、受け止め位置よりも筐体(1)の内部へ移動して、払い出し装置(5)から払い出された遊技媒体を遊技媒体貯留部(60)で受け止めない回避位置との間で変位可能に形成され、
底板(61)の下方には積載板(65)が設けられ、
積載板(65)は、底板(61)が回避位置にあるときに遊技媒体を持ち運ぶための遊技媒体運搬箱(U)が積載される位置と、該位置よりも筐体(1)の内部へ移動して、底板(61)が受け止め位置にあるときに遊技媒体運搬箱(U)が積載されない位置との間で変位可能に形成され、
底板(61)と積載板(65)とのいずれか一方の移動にともない他方を移動させるための伝動手段(70)を備えたことを特徴とする遊技機に関するものである。
【０００８】
「遊技媒体」とは、例えば、メダルやパチンコ球などを含むものである。
「遊技機」とは、例えば、メダルまたはパチンコ球を用いて遊技を行うスロットマシンなどを含むものである。
「遊技媒体貯留部(60)」は、前扉(3)の下方に設けられた底板(61)、底板(61)における正面側の周縁部から上方へ向けて突出した前側板(62)、底板(61)における右側の周縁部から上方へ向けて突出した貯留部右側板(67A)、底板(61)における左側の周縁部から上方へ向けて突出した貯留部左側板(67B)、及び前側板(62)に対向して筐体に設けられた後側板(14)により形成される。また、底板(61)、前側板(62)、貯留部右側板(67A)、貯留部左側板(67B)及び後側板(14)に囲まれた空間に遊技媒体を貯留する。
【０００９】
また、貯留部右側板(67A)及び貯留部左側板(67B)を筐体に設けるとともに、底板(61)と前側板(62)とを一体に形成してもよい。また、貯留部右側板(67A)及び貯留部左側板(67B)を底板(61)に設けて、底板(61)、前側板(62)、貯留部右側板(67A)及び貯留部左側板(67B)を一体に形成してもよい。
「伝動手段(70)」は、底板(61)と積載板(65)とのいずれか一方の移動にともない他方を移動させるためのものである。
具体的には、伝動手段(70)は、受け止め位置にある底板(61)が回避位置へ向けて移動すると、遊技媒体運搬箱(U)が積載されない位置にある積載板(65)を、遊技媒体運搬箱(U)が積載される位置へ向けて移動させる。
【００１０】
また、伝動手段(70)は、回避位置にある底板(61)が受け止め位置へ向けて移動すると、遊技媒体運搬箱(U)が積載される位置にある積載板(65)を、遊技媒体運搬箱(U)が積載されない位置へ向けて移動させる。
また、伝動手段(70)は、遊技媒体運搬箱(U)が積載されない位置にある積載板(65)が、遊技媒体運搬箱(U)が積載される位置へ向けて移動すると、受け止め位置にある底板(61)を回避位置へ向けて移動させる。
また、伝動手段(70)は、遊技媒体運搬箱(U)が積載される位置にある積載板(65)が、遊技媒体運搬箱(U)が積載されない位置へ向けて移動すると、回避位置にある底板(61)を受け止め位置へ向けて移動させる。
【００１１】
（請求項２）
請求項２に記載の発明は、請求項１に記載の発明の特徴に加え、
伝動手段(70)は、
積載板(65)の上面に設けられた積載板ラック(71)と、
底板(61)の下面における積載板ラック(71)に対応する位置に設けられた底板ラック(72)と、
積載板ラック(71)及び底板ラック(72)に咬合されたピニオン(73)とを備えたことを特徴とする遊技機に関するものである。
【発明の効果】
【００１２】
（請求項１）
請求項１に記載された発明によれば、遊技者は、底板を受け止め位置に在らしめて遊技媒体を遊技媒体貯留部に貯留させるか、または底板を回避位置に在らしめて遊技媒体運搬箱に遊技媒体を貯留させるかを選択することができる。
また、底板が受け止め位置にある場合には、積載板に遊技媒体運搬箱を積載し、遊技媒体貯留部に遊技媒体運搬箱を積載する必要がない。そのため、遊技媒体貯留部は、遊技媒体運搬箱を積載することが可能な従来の遊技媒体貯留部よりも小さく形成することができる。
【００１３】
また、積載板は、遊技媒体運搬箱を積載しない場合に、遊技媒体運搬箱が積載されない位置に移動することにより、前扉から大きく張り出さずに邪魔にならないようにすることができる。
（請求項２）
請求項２に記載された発明によれば、積載板ラック、底板ラック及びピニオンを用いることで、底板の移動と積載板の移動とを滑らかに連動させることができる。
【発明を実施するための最良の形態】
【００１４】
本発明を実施するための最良の形態を、遊技機としてスロットマシンSを例に、図面を参照しつつ順次説明する。
（図面の説明）
図１ないし図７は、本発明の実施の形態を示すものである。
図１は、スロットマシンSにおいて底板61が受け止め位置にある状態を示す斜視図である。図２は、スロットマシンSにおいて底板61が回避位置にある状態を示す斜視図である。図３は、スロットマシンSにおける図柄表示窓31及び入賞有効ライン37を示す正面図である。図４は、スロットマシンSにおいて底板61が受け止め位置にある状態を示す部分破断側面図である。図５は、スロットマシンSにおいて底板61が回避位置にある状態を示す部分破断側面図である。図６は、スロットマシンSにおいて底板61及び積載板65を示す斜視図である。図７は、スロットマシンSにおける伝動手段70を示す部分拡大側面図である。
【００１５】
なお、「正面」とは、スロットマシンSにおける、遊技者が遊技を行う際に向き合う面をいう。また、「右側」とは、スロットマシンSの正面に向き合う遊技者から見て右側を意味し、「左側」とは、スロットマシンSの正面に向き合う遊技者から見て左側を意味する。
（スロットマシンS）
スロットマシンSは、遊技媒体としてメダルを用いて遊技が行われる。
本実施の形態に係るスロットマシンSは、正面側に開口する正面開口部を有する箱形の筐体1を備えている。また、筐体1の正面には、筐体1の正面開口部を開閉可能に閉塞する前扉3を備えている。
【００１６】
また、前扉3は、正面開口部の上部を開閉可能に閉塞する上扉30と、正面開口部の下部を開閉可能に閉塞する下扉40とを備えている。
（筐体1）
筐体1は、上面略矩形の地板15、地板15の右側の縁部に立設された右側板16A、地板15の左側の縁部に立設された左側板16B、地板15の奥側の縁部に立設された背板18、及び地板15に対向して設けられた天板17を備え、正面側に開口する正面開口部を有する箱形に形成されている。また、筐体1の内部には、高さ方向略中央で水平となる位置に中板12が設けられている。また、中板12の上面には、リールユニット22及び制御装置10を一体に取り扱うための交換ユニット2が設置されている。また、筐体1の内部には、中板12の下方で水平となる位置に、設置板13が設けられている。
【００１７】
また、設置板13の上面には、各部品に電力を供給するための電源装置を内蔵した電源ユニットが設置されている。また、電源ユニットの前面には、電源のＯＮ／ＯＦＦの切り替えを行うための電源スイッチ、設定変更のＯＮ／ＯＦＦの切り替えを行うための設定キースイッチ、設定値を変更するための設定変更スイッチ、エラーを解除するためのリセットスイッチ等が設けられている。
また、設置板13の上面には、メダルを貯留するとともに貯留したメダルを払い出すための払い出し装置5が設置されている。電源ユニット及び払い出し装置5は、交換ユニット2の交換に際し、必ずしも交換する必要のないものであり、交換時には筐体1に設置されたままにしておけるようになっている。
【００１８】
また、右側板16Aの下部及び左側板16Bの下部は、図１、図２、図４及び図５に示すように、下扉40の真下に張り出すように形成されている。ここで、右側板16Aの下部における下扉40の真下に大きく張り出した部分を、貯留部右側板67Aとし、左側板16Bの下部における下扉40の真下に大きく張り出した部分を、貯留部左側板67Bとする。また、右側板16Aのうちで貯留部右側板67A以外の部分を、筐体右側板19Ａとし、左側板16Bのうちで貯留部左側板67B以外の部分を、筐体左側板19Bとする。
また、筐体1の地板15の上面には、図４及び図５に示すように、遊技媒体運搬箱Uを積載する積載板65が設けられている。また、積載板65の左右方向の長さは、右側板16Aと左側板16Bとの間隔よりも僅かに短く形成されている。
【００１９】
また、積載板65の上方で且つ下扉40の下方には、図４及び図５に示すように、底板61が設けられている。また、底板61の正面側の周縁部には、上方へ向けて突出するように前側板62が設けられている。また、底板61と前側板62とは一体に形成されている。また、底板61及び前側板62の左右方向の長さは、右側板16Aと左側板16Bとの間隔よりも僅かに短く形成されている。また、底板61は、右側の周縁部から貯留部右側板67Aが上方へ向けて突出するとともに、左側の周縁部から貯留部左側板67Bが上方へ向けて突出するような位置に設けられている。
また、筐体1には、前側板62に対向するように後側板14が設けられている。具体的には、後側板14は、図４及び図５に示すように、設置板13における正面側の周縁部から上方へ向けて突設されている。また、下扉40を閉じた場合に、後側板14の正面上部と下扉40の下端部とが当接するようになっている。また、後側板14の下端部と底板61の上面との間隔は、メダルの厚さよりも小さく形成されている。
【００２０】
また、図１及び図４に示すように、底板61、前側板62、貯留部右側板67A、貯留部左側板67B及び後側板14により遊技媒体貯留部60が形成されている。遊技媒体貯留部60は、払い出し装置5から払い出されたメダルを貯留することができる。
（交換ユニット2）
交換ユニット2は、直方体状に組まれた金属枠である枠体21と、枠体21に固定されたリールユニット22と、枠体21に固定された制御装置10とを備えている。
また、リールユニット22は、特に図示しないが、枠体21に固定された３枚の支持板と、各支持板に固定された３個のステッピングモーターと、各々のステッピングモーターの出力軸に固定された３個の回転リール23とを備えている。また、図３に示すように、３個の回転リール23のうち、左側に位置するのが左回転リール23Lであり、中央に位置するのが中央回転リール23Mであり、右側に位置するのが右回転リール23Rである。
【００２１】
また、制御装置10は、ＣＰＵ、ＲＯＭ、ＲＡＭ、Ｉ／Ｏ等の電子部品を備えた基板を、基板ケースに収納したものである。また、制御装置10は、スロットマシンSの作動を制御するためのものである。
（上扉30）
上扉30は、正面開口部の上部を開閉可能に閉塞するための扉である。
また、上扉30は、略中央部に回転リール23の図柄を正面側から見ることができる図柄表示窓31を備えている。図柄表示窓31は、図３に示すように、各回転リール23の図柄が３個ずつ表示可能に形成されている。ここで、３個の図柄が図柄表示窓31に適正な位置で表示されるときの各回転リール23の停止位置を、「停止基準位置」という。
【００２２】
また、図柄表示窓31には、水平に伸びる入賞有効ライン37が上段、中段及び下段の３本、並びに図柄表示窓31の対角線に伸びる入賞有効ライン37が２本形成されている。
また、本実施の形態では、水平に伸びる中段の入賞有効ライン37を第一入賞有効ライン37Aとし、水平に伸びる上段の入賞有効ライン37を第二入賞有効ライン37Bとし、水平に伸びる下段の入賞有効ライン37を第三入賞有効ライン37Cとし、図柄表示窓31の対角線に伸びる右下がりの入賞有効ライン37を第四入賞有効ライン37Dとし、図柄表示窓31の対角線に伸びる右上がりの入賞有効ライン37を第五入賞有効ライン37Eとする。
そして、図柄表示窓31の上方には、図１及び図２に示すように、画像表示装置34が設けられている。画像表示装置34は、各当選役の図柄配列や遊技履歴等の情報の画像や、遊技の状態や当選役の抽選結果を報知する画像等を表示するためのものである。画像表示装置34は、具体的には、例えば、液晶表示装置やＣＲＴ等を用いることができる。
【００２３】
また、画像表示装置34の周囲には、報知などを行うためのランプ33が設けられている。
また、図柄表示窓31の下方には、７セグメント表示器などを用いて、クレジットされたメダルの枚数や設定値を表示するための数値表示部32が設けられている。
ここで、クレジットとは、メダル投入口42から投入され、メダルセレクターにより正規なメダルとして払い出し装置5へ移送されるメダル、または所定の入賞により払い出されるメダルを、スロットマシンS内部に貯留することである。また、本実施の形態においては、最大５０枚までクレジット可能に形成されている。
また、上扉30の裏面上部の左右には、種々のサウンドを出力するためのスピーカ35が設けられている。
【００２４】
（下扉40）
下扉40は、正面開口部の下部を開閉可能に閉塞するための扉である。
また、下扉40が上扉30よりも先に開かれるように、下扉40の上面は、閉扉時において、上扉30の下端よりも正面側に突出するようになっている。つまり、下扉40が開放されると、上扉30も開放可能となるように形成されている。
また、下扉40の上部は、図１及び図２に示すように、操作部50が設けられている。操作部50には、クレジットメダル数を減じてメダルの投入に代えるためのベットスイッチ51、クレジットされたメダルを払い出すための精算スイッチ52、回転リール23の回転を開始させるためのスタートスイッチ53、及び回転リール23の回転を停止させるためのストップスイッチ54が設けられている。また、操作部50の右上部には、メダルを投入するためのメダル投入口42が設けられている。
【００２５】
また、下扉40の下部には、スロットマシンS内部よりメダルを排出するためのメダル払い出し口41が設けられている。具体的には、払い出し装置5から払い出されたメダルは、メダル払い出し口41を経由して、遊技媒体貯留部60または遊技媒体運搬箱Uに貯留されるようになっている。
また、下扉40の裏面には、メダル投入口42から投入されたメダルを誘導しながら真贋で選別するためのメダルセレクターが設けられている。
（ベットスイッチ51）
ベットスイッチ51は、クレジットとして貯留されたメダルをベットするためのものである。
【００２６】
また、本実施の形態では、ベットスイッチ51が操作されると、クレジットとして貯留されたメダルの内から３枚ベットされるようになっている。
（精算スイッチ52）
精算スイッチ52は、クレジットされた枚数分のメダルを払い出し装置5に払い出させるためのものである。
具体的には、精算スイッチ52が操作されると、その時点でクレジットされているメダルの枚数と同じ枚数のメダルが払い出し装置5によって払い出されるようになっている。
（スタートスイッチ53）
スタートスイッチ53は、図１に示すように、操作部50の前面の左側端部に設けられ、メダルの投入若しくはベットスイッチ51の操作によるクレジットされたメダルの投入を条件に、または、「再遊技（リプレイ）」時には前遊技から所定時間経過を条件に、各回転リール23の回転を開始させるためのものである。
【００２７】
なお、「再遊技（リプレイ）」とは、「ＲＥＰ」の図柄が入賞有効ライン37上に揃うと、次の遊技において、メダルを新たに投入することなく、再度遊技を行うことができるものである。
また、スタートスイッチ53は、上下方向に揺動可能な操作レバーを備えている。この操作レバーは、下扉40から略水平に突出するようにスプリングにより付勢されており、上方向または下方向に揺動操作されても、常態に復帰するようになっている。
（ストップスイッチ54）
ストップスイッチ54は、図１に示すように、操作部50の前面の中央部に設けられ、各回転リール23の回転を停止させるためのものである。具体的には、操作部50の前面の中央部には、各回転リール23に対応した３個のストップスイッチ54が、横並びに設けられている。
【００２８】
そして、ストップスイッチ54の操作により、このストップスイッチ54に対応した回転リール23が回転を停止するように設定されている。具体的には、左側に位置するストップスイッチ54を操作すると、左回転リール23L用のストップ信号が出力されて、左回転リール23Lが停止する。また、中央に位置するのストップスイッチ54を操作すると、中央回転リール23M用のストップ信号が出力されて、中央回転リール23Mが停止する。また、右側に位置するストップスイッチ54を操作すると、右回転リール23R用のストップ信号が出力されて、右回転リール23Rが停止する。
（リールユニット22）
リールユニット22は、特に図示しないが、枠体21に固定された３枚の支持板と、各支持板に固定された３個のステッピングモーターと、各々のステッピングモーターの出力軸に固定された３個の回転リール23とを備えている。
【００２９】
また、各回転リール23は、合成樹脂からなる回転ドラムと、回転ドラムの周囲に貼付されるテープ状のリールテープ28とを備えている。このリールテープ28の外周面には、複数個（例えば２１個）の図柄が表示されている。具体的には、「７（赤色）」「７（青色）」「ＢＡＲ」「ベル」「スイカ」「チェリー」「ＲＥＰ」の図柄が配置されている。
また、各回転リール23の回転ドラムには、突起状のインデックスが設けられるとともに、リールユニット22の各支持板には、インデックスを検出するためのインデックスセンサーが設けられている。また、インデックスセンサーには、光透過型センサーが用いられており、インデックスは、回転リール23の回転にともないインデックスセンサーの光軸を遮断することにより検出されるようになっている。
【００３０】
（メダルセレクター）
メダルセレクターは、メダル投入口42から投入されたメダルを誘導しながら真贋で選別するためのものである。また、メダルセレクターは、下扉40の裏面に設けられている。
また、メダルセレクターは、メダル投入口42から投入されたメダルを払い出し装置5へ誘導するためのメダル通路（図示せず）と、メダル通路の下流に設けられた投入センサーと、メダル通路を流下するメダルを投入センサーに検出される前にメダル払い出し口41へ排除するためのブロッカー装置（図示せず）とを備えている。また、メダルセレクターは、スタートスイッチ53の操作からこのスタートスイッチ53の操作を契機に開始されたゲームが終了するまでの間、メダル通路を流下するメダルをブロッカー装置によりメダル払い出し口41へ排除するようになっている。これにより、メダル投入口42から投入されたメダルは、投入センサーに検出される前にブロッカー装置によりメダル払い出し口41へ排除されるようになる。
【００３１】
また、メダルセレクターは、ゲームが終了してから次のゲームが開始されるまでの間、メダル通路を流下するメダルが払い出し装置5へ誘導されることをブロッカー装置で妨げないようになっている。これにより、メダル投入口42から投入された正規のメダルは、投入センサーに検出されるとともに、払い出し装置5に貯留されるようになる。ただし、メダルセレクターは、スロットマシンSに５０枚のメダルがクレジットされている場合には、メダル通路を流下するメダルをブロッカー装置によりメダル払い出し口41へ排除するようになっている。
（投入センサー）
投入センサーは、メダルセレクターに設けられている。また、投入センサーは、メダル投入口42から投入されてメダルセレクターに到達したメダルのうち、払い出し装置5へ誘導される正規のメダルを検出するためのものである。
【００３２】
（払い出し装置5）
払い出し装置5は、内部にメダルを貯留するとともに、貯留したメダルをメダル受け皿43または遊技媒体運搬箱Uへ払い出すためのものである。払い出し装置5は、特に図示しないが、メダルを貯留するためのメダルタンクと、メダルタンクに貯留されているメダルを１枚ずつ排出するための送り出し機構と、送り出し機構により排出されたメダルを検出するための払い出しセンサーとを備えている。
（報知装置8）
報知装置8は、情報を出力するためのものである。本実施の形態では、報知装置8として、ランプ33、画像表示装置34及びスピーカ35が設けられている。そして、画像表示装置34に所定の画像を表示させたり、スピーカ35から所定の音声を出力させたり、ランプ33を所定のパターンで点滅させたり等することにより、情報を出力することができる。
【００３３】
（遊技媒体貯留部60及び積載板65）
積載板65の下面には、複数の積載板ローラー66が設けられており、積載板65を前後方向に移動させることができるようになっている。また、積載板65の上面の右端部及び左端部には、図４ないし図６に示すように、前後方向に伸びた積載板ラック71（右積載板ラック71A・左積載板ラック71B）が形成されている。
また、底板61の下面には、複数の底板ローラー63が設けられており、底板61を前後方向に移動させることができるようになっている。また、底板61の下面の右端部及び左端部には、前後方向に伸びた底板ラック72（右底板ラック72A・左底板ラック72B）が形成されている。右底板ラック72Aは、右積載板ラック71Aに対応する位置に設けられ、左底板ラック72Bは、左積載板ラック71Bに対応する位置に設けられている。
【００３４】
そして、積載板65と底板61の間には、図４ないし図７に示すように、積載板ラック71及び底板ラック72に咬合されたピニオン73が設けられている。具体的には、右積載板ラック71A及び右底板ラック72Aに咬合された右ピニオン73Aと、左積載板ラック71B及び左底板ラック72Bに咬合された左ピニオン73Bとが設けられている。また、右ピニオン73Aと左ピニオン73Bとは、シャフト74により連結されている。
積載板ラック71、底板ラック72及びピニオン73は、底板61と積載板65とのいずれか一方の移動にともない他方を移動させるための伝動手段70として機能する。
貯留部右側板67Aの正面側端部と貯留部左側板67Bの正面側端部には、図１及び図２に示すように、底板61及び前側板62の正面側への移動を抑止するための抑止片64が設けられている。
【００３５】
ここで、前側板62が抑止片64に接するときの底板61の位置を、払い出し装置5から払い出されたメダルを遊技媒体貯留部60で受け止める受け止め位置とする。底板61が受け止め位置にあるときは、払い出し装置5から払い出されたメダルを遊技媒体貯留部60に貯留することができる。また、積載板65は、図１及び図４に示すように、底板61が受け止め位置にある場合に、積載板65が底板61の真下に隠れるため、上面に遊技媒体運搬箱Uを積載することができない。
そして、受け止め位置にある底板61を筐体1の内部に向けて移動させると、伝動手段70により積載板65が正面側に向けて移動され、底板61の真下から徐々に現れる。
【００３６】
さらに底板61を筐体1の内部へ移動させると、図２及び図５に示すように、前側板62が後側板14に当たり、これ以上底板61を筐体1の内部へ移動させることができなくなる。このときの底板61の位置を、払い出し装置5から払い出されたメダルを遊技媒体貯留部60で受け止めない回避位置とする。底板61が回避位置にあるときは、払い出し装置5から払い出されたメダルを遊技媒体貯留部60に貯留することができない。また、積載板65は、底板61が回避位置にある場合に、底板61の下方より現れた上面に遊技媒体運搬箱Uを積載することができる。そして、積載板65の上面に積載した遊技媒体運搬箱Uに、払い出し装置5から払い出されたメダルを貯留することができる。
【００３７】
また、底板61が回避位置にある場合に、積載板65を筐体1の内部に向けて移動させると、伝動手段70により底板61が正面側に向けて移動される。さらに積載板65を筐体1の内部へ移動させると、前側板62が抑止片64に当たり、これ以上積載板65を筐体1の内部へ移動させることができなくなる。換言すると、底板61が受け止め位置で移動を停止するとともに、積載板65が底板61の真下に隠れるようになる（図１及び図４参照）。
以上のように、本実施の形態によれば、遊技者は、底板61を受け止め位置に在らしめてメダルを遊技媒体貯留部60に貯留させるか、または底板61を回避位置に在らしめて遊技媒体運搬箱Uにメダルを貯留させるかを選択することができる。
【００３８】
また、底板61が受け止め位置にある場合には、積載板65に遊技媒体運搬箱Uを積載し、遊技媒体貯留部60に遊技媒体運搬箱Uを積載する必要がない。そのため、遊技媒体貯留部60は、遊技媒体運搬箱Uを積載することが可能な従来の遊技媒体貯留部60よりも小さく形成することができる。
また、積載板65は、遊技媒体運搬箱Uを積載しない場合に、遊技媒体運搬箱Uが積載されない位置に移動することにより、前扉3から張り出さずに邪魔にならないようにすることができる。
また、積載板ラック71、底板ラック72及びピニオン73を用いることで、底板61の移動と積載板65の移動とを滑らかに連動させることができる。
【００３９】
また、底板61に、後側板14、貯留部右側板67A及び貯留部左側板67Bを設けた場合は、筐体1の内部に、底板61、後側板14、貯留部右側板67A及び貯留部左側板67Bの移動する空間を確保しなければならない。しかし、本実施の形態では、筐体1に、後側板14、貯留部右側板67A及び貯留部左側板67Bを設けたので、筐体1の内部に底板61の移動する空間を確保するだけで済む。
（他の実施の形態）
本発明は、上述の実施の形態に限定されるものではなく、本発明の目的を達成できる範囲における変形や改良も含むものである。
【００４０】
例えば、上述の実施の形態では、貯留部右側板67A及び貯留部左側板67Bを筐体1に設けたが、底板61に設けることもできる。
具体的には、図８に示すように、貯留部右側板67Aを、右側板16Aの下部に設ける代わりに、底板61の右側の周縁部に上方へ向けて突出するように設ける。また、貯留部左側板67Bを、左側板16Bの下部に設ける代わりに、底板61の左側の周縁部に上方へ向けて突出するように設ける。そして、底板61、前側板62、貯留部右側板67A、貯留部左側板67B及び後側板14により遊技媒体貯留部60を形成することができる。また、底板61、前側板62、貯留部右側板67A及び貯留部左側板67Bは一体に形成されている。
【００４１】
また、図８に示すように、底板61が受け止め位置にあるときは、払い出し装置5から払い出されたメダルを遊技媒体貯留部60に貯留することができる。このとき、積載板65は、積載板65が底板61の真下に隠れるため、上面に遊技媒体運搬箱Uを積載することができない。
また、受け止め位置にある底板61を筐体1の内部に向けて移動させると、底板61と一体に形成された貯留部右側板67A及び貯留部左側板67Bも筐体1の内部に移動するとともに、伝動手段70により積載板65が正面側に向けて移動され、底板61の真下から徐々に現れる。
また、図９に示すように、底板61が回避位置にあるときは、払い出し装置5から払い出されたメダルを遊技媒体貯留部60に貯留することができない。また、積載板65は、底板61が回避位置にある場合に、底板61の下方より現れた上面に遊技媒体運搬箱Uを積載することができる。そして、積載板65の上面に積載した遊技媒体運搬箱Uに、払い出し装置5から払い出されたメダルを貯留することができる。
【００４２】
以上のようにしても、遊技者は、底板61を受け止め位置に在らしめてメダルを遊技媒体貯留部60に貯留させるか、または底板61を回避位置に在らしめて遊技媒体運搬箱Uにメダルを貯留させるかを選択することができる。
また、底板61が受け止め位置にある場合には、積載板65に遊技媒体運搬箱Uを積載し、遊技媒体貯留部60に遊技媒体運搬箱Uを積載する必要がない。そのため、遊技媒体貯留部60は、遊技媒体運搬箱Uを積載することが可能な従来の遊技媒体貯留部60よりも小さく形成することができる。
また、積載板65は、遊技媒体運搬箱Uを積載しない場合に、遊技媒体運搬箱Uが積載されない位置に移動することにより、前扉3から張り出さずに邪魔にならないようにすることができる。
【００４３】
また、積載板ラック71、底板ラック72及びピニオン73を用いることで、底板61の移動と積載板65の移動とを滑らかに連動させることができる。
また、底板61に後側板14を設けた場合は、筐体1の内部に後側板14の移動する空間を確保しなければならないが、筐体1に後側板14を設けることにより、筐体1の内部に後側板14の移動する空間を確保せずに済む。
【図面の簡単な説明】
【００４４】
【図１】本発明の実施の形態に係るスロットマシンにおいて底板が受け止め位置にある状態を示す斜視図である。
【図２】本発明の実施の形態に係るスロットマシンにおいて底板が回避位置にある状態を示す斜視図である。
【図３】本発明の実施の形態に係るスロットマシンにおける図柄表示窓及び入賞有効ラインを示す正面図である。
【図４】本発明の実施の形態に係るスロットマシンにおいて底板が受け止め位置にある状態を示す部分破断側面図である。
【図５】本発明の実施の形態に係るスロットマシンにおいて底板が回避位置にある状態を示す部分破断側面図である。
【図６】本発明の実施の形態に係るスロットマシンにおいて底板及び積載板を示す斜視図である。
【図７】本発明の実施の形態に係るスロットマシンにおける伝動手段を示す部分拡大側面図である。
【図８】本発明の他の実施の形態に係るスロットマシンにおいて底板が受け止め位置にある状態を示す斜視図である。
【図９】本発明の他の実施の形態に係るスロットマシンにおいて底板が回避位置にある状態を示す斜視図である。
【符号の説明】
【００４５】
S   スロットマシン                      1   筐体
2   交換ユニット                        3   前扉
4   電源ユニット                        5   払い出し装置
6   メダルセレクター                    7   投入センサー
8   報知装置                            10  制御装置
12  中板                                13  設置板
14  後側板                              15  地板
16A 右側板                              16B 左側板
17  天板                                18  背板
19A 筐体右側板                          19B 筐体左側板
22  リールユニット                      23  回転リール
30  上扉                                31  図柄表示窓
32  数値表示部                          33  ランプ
34  画像表示装置                        37  入賞有効ライン
40  下扉                                41  メダル払い出し口
42  メダル投入口
50  操作部                              51  ベットスイッチ
52  精算スイッチ                        53  スタートスイッチ
54  ストップスイッチ
60  遊技媒体貯留部                      61  底板
62  前側板                              63  底板ローラー
64  抑止片                              65  積載板
66  積載板ローラー
67A 貯留部右側板                        67B 貯留部左側板
70  伝動手段
71  積載板ラック
71A 右積載板ラック                      71B 左積載板ラック
72  底板ラック
72A 右底板ラック                        72B 左底板ラック
73  ピニオン
73A 右ピニオン                          73B 左ピニオン
74  シャフト                            U   遊技媒体運搬箱
【図１】
2009066202.tif 000003
【図２】
2009066202.tif 000004
【図３】
2009066202.tif 000005
【図４】
2009066202.tif 000006
【図５】
2009066202.tif 000007
【図６】
2009066202.tif 000008
【図７】
2009066202.tif 000009
【図８】
2009066202.tif 000010
【図９】
2009066202.tif 000011